(57)【要約】【課題】貯湯された高温水を最後まで使い切ることが出来るようにした貯湯式給湯装置を提供する。【解決手段】加熱手段２で加熱された温水を貯湯する貯湯タンク１と、該貯湯タンク１に給水を補給する給水管３と、貯湯タンク１上部に連通し高温水を出湯する出湯管４と、貯湯タンク１外周の上下方向に複数個備えられ該貯湯タンク１内温度と共に貯湯量を検知する貯湯温度センサ１３とを備えたもので、前記貯湯温度センサ１３が所定残湯量を検知することで、給水管３に備えられた遮断弁１６を開閉して断続給湯して報知出来、残湯が残り少なくなってもうすぐ給湯から給水に変わることを使用者に知らせて、心構えさせて準備させることで、貯湯された温水を安心して最後まで使い切ることが出来、経済的であり使用勝手が良いものである。【選択図】  図３
2009138981.tif 000002
【特許請求の範囲】
【請求項１】
加熱手段で加熱された温水を貯湯する貯湯タンクと、該貯湯タンクに給水を補給する給水管と、貯湯タンク上部に連通し高温水を出湯する出湯管と、貯湯タンク外周の上下方向に複数個備えられ該貯湯タンク内温度と共に貯湯量を検知する貯湯温度センサとを備えたものに於いて、前記貯湯温度センサが所定残湯量を検知することで、給水管に備えられた遮断弁を開閉して断続給湯する事を特徴とする貯湯式給湯装置。
【発明の詳細な説明】
【技術分野】
【０００１】
この発明は、貯湯タンクの貯湯温水を最後まで給湯に使用出来る要にした貯湯式給湯装置に関するものである。
【背景技術】
【０００２】
従来よりこの種のものでは、貯湯タンク内の湯水の湯切れを流量調節弁で出湯量を絞ることで抑制し、湯切れまでの時間を長くするものであった。（例えば、特許文献１参照。）
【特許文献１】特開２００１−８２８０６号公報
【発明の開示】
【発明が解決しようとする課題】
【０００３】
ところでこの従来のものでは、貯湯タンクに貯湯された湯水の湯切れまでの時間を延ばすことは出来るが、湯切れは当然発生し湯切れの時に温水から突然冷水に変わる不具合を解消することは出来ないものであり、使用者の心の準備が出来ないものであった。
【課題を解決するための手段】
【０００４】
この発明はこの点に着目し上記欠点を解決する為、特にその構成を、加熱手段で加熱された温水を貯湯する貯湯タンクと、該貯湯タンクに給水を補給する給水管と、貯湯タンク上部に連通し高温水を出湯する出湯管と、貯湯タンク外周の上下方向に複数個備えられ該貯湯タンク内温度と共に貯湯量を検知する貯湯温度センサとを備えたものに於いて、前記貯湯温度センサが所定残湯量を検知することで、給水管に備えられた遮断弁を開閉して断続給湯するようにしたものである。
【発明の効果】
【０００５】
この発明によれば、湯切れ間近を残湯量の低下で検知し、遮断弁を開閉して給湯を断続することにより、残湯が残り少なくなってもうすぐ給湯から給水に変わることを使用者に知らせて、心構えさせて準備させることで、貯湯された温水を安心して最後まで使い切ることが出来、経済的であり使用勝手が良いものである。
【発明を実施するための最良の形態】
【０００６】
次にこの発明の一実施形態を図示した貯湯式給湯装置に基づいて説明する。
１は円筒状の貯湯タンクで、二酸化炭素冷媒を用いたヒーポンユニットから成る加熱手段２を利用し、時間帯別契約電力の電力単価が安価な深夜時間帯に湯水を沸き上げて貯湯するものであり、底部には給水を補給する給水管３が接続し、上部には貯湯した高温水を給湯栓（図示せず）等に出湯する出湯管４が接続されている。
【０００７】
５は一方に出湯管４を、他方には給水管３から分岐した給湯用給水バイパス管６を、中央には給湯管７が接続した電動三方弁から成る給湯用混合弁で、出湯管４からの高温水と給湯用給水バイパス管６からの給水とを混合して、台所リモコン８で設定された給湯設定温度となるようにして供給するものであり、給湯管７に備えた給湯サーミスタ９による給湯温度と給水温度と給湯設定温度から、出湯管４の湯側開度と給湯用給水バイパス管６の水側開度をフィードフォワード制御で調整するものである。
【０００８】
１０は前記給湯用混合弁５と同じく一方には出湯管４を、他方には給湯用給水バイパス管６から分岐した風呂用給水バイパス管１１を、中央を風呂循環回路（図示せず）に接続した電動三方弁から成る風呂用混合弁で、出湯管４からの高温水と風呂用給水バイパス管１１からの給水とを混合して、浴室リモコン１２で設定された風呂設定温度となるようにして湯張りするものであり、出湯温度と給水温度と風呂設定温度とから、出湯管４の湯側開度と風呂用給水バイパス管１１の水側開度をフィードフォワード制御で調整するものである。
【０００９】
１３は貯湯タンク１の外周壁に取り付けられた複数の貯湯温度センサで、上下方向に等間隔で上から順に１３ａ、１３ｂ、１３ｃ、１３ｄと４個が設けられ、貯湯温度やこの温度をマイコンから成る給湯制御部１４に入力して、残湯量や沸き上げ運転、沸き終い運転等の演算、運転制御を行わせるものである。
【００１０】
前記給湯制御部１４は、残湯量が貯湯温度センサ１３ａが検出する所定残湯量ここでは５０Ｌに達することで、給水管３の減圧弁１５より上流側に備えられた遮断弁１６を数秒の間開閉制御し、これにより給湯が断続されて使用者に湯切れが近いことを知らせるものである。
【００１１】
又この遮断弁１６は、貯湯タンク１や各配管等からの漏水を検知して給水管３を閉弁する緊急遮断弁も兼用しているもので、こちらの作動を優先させるものである。
【００１２】
１７は貯湯タンク１と加熱手段２とを湯水が循環可能に接続する往き管１８と戻り管１９と循環ポンプ２０とで構成された加熱循環回路である。
２１は給水管３途中に設けられた給水サーミスタであり、２２は出湯管４に備えられた圧力逃がし弁であり、２３は給水管３に設けられた貯湯タンク１側からの逆流を阻止する逆止部である。
【００１３】
次にこの一実施形態の作動について説明する。
今契約電力の深夜時間帯では、前日の残湯量等から給湯制御部１４で目標沸き上げ温度を演算して決定し、この目標沸き上げ温度となるように、加熱循環回路１７によって貯湯タンク１下部の低温水を加熱手段２で沸き上げて、高温水を貯湯タンク１上部に戻し、順次この循環を繰り返して、貯湯温度センサ１３全てが目標沸き上げ温度を検知するように、翌朝７時迄に貯湯タンク１内全体に高温水を貯湯するようにするものである。
【００１４】
そして、この貯湯タンク１内の高温水を、給湯用混合弁５で出湯管４からの高温水と給湯用給水バイパス管６からの給水とを混合して、給湯設定温度の温水として給湯に利用するものであり、又風呂用混合弁１０でも出湯管４からの貯湯タンク１内の高温水と、風呂用給水バイパス管１１の給水とを混合して、風呂設定温度の温水として風呂に利用されるものである。
【００１５】
上記のように貯湯タンク１内の高温水が順次使用されることで、貯湯タンク１内の残湯量が減少してきて、貯湯タンク１の最上部の貯湯温度センサ１３ａまで残湯量が減少すると、これを貯湯温度センサ１３ａが検知し給湯制御部１４を介して遮断弁１６を数秒の間開閉制御することで、給湯が断続されて給湯中の使用者はこれを感じて、湯切れが近いことを認識するので、そり後給水に至っても驚くことがなく、安心して貯湯温水を最後まで使い切ることが出来、極めて経済的で使用勝手が良いものである。
【００１６】
又直接給湯を断続することで、湯切れ間近を報知出来るので、使用者に確実に伝えることが出来、その後の貯湯温水の使用を使用者自身に任せることが出来て、更に使用勝手が良くなるものである。
更に最終的に湯切れとなった時には、台所リモコン８の表示部に「貯湯量０」を点滅表示して表示でも報知するようにしても良い。
【図面の簡単な説明】
【００１７】
【図１】この発明の一実施形態を示す貯湯式給湯装置の概略説明図。
【図２】同要部電気回路のブロック図。
【図３】同要部のタイミングチャート。
【符号の説明】
【００１８】
１  貯湯タンク
２  加熱手段
３  給水管
４  出湯管
１３  貯湯温度センサ
１６  遮断弁
【図１】
2009138981.tif 000003
【図２】
2009138981.tif 000004
【図３】
2009138981.tif 000005